(57)【要約】【課題】  キーボード及びマウスを出し入れ可能な収納装置を提供する。【解決手段】  キーボードを縦置きに収納するキーボード収納部１１と、該キーボード収納部１１と一体に設けられたマウスを載置可能なマウス収納部１８とを備える。前記マウス収納部１８は、前記キーボード収納部１１の両側にマウスを載置可能である。前記キーボード収納部１１は、間隔をおいて互いに平行に立設される一対の支持枠１２、１２からなり、前記マウス収納部１８は、前記支持枠１２、１２の下端が連結される平板１４からなる。【選択図】図１
0003132406.tif 000002
【実用新案登録請求の範囲】
【請求項１】
キーボードを縦置きに収納するキーボード収納部と、該キーボード収納部と一体に設けられたマウスを載置可能なマウス収納部とを備えていることを特徴とする収納装置。
【請求項２】
前記マウス収納部は、前記キーボード収納部の両側にマウスを載置可能であることを特徴とする請求項１に記載の収納装置。
【請求項３】
前記キーボード収納部は、間隔をおいて互いに平行に立設される一対の支持枠からなり、前記マウス収納部は、前記支持枠の下端が連結される平板からなることを特徴とする請求項１又は２に記載の収納装置。
【請求項４】
前記マウス収納部の上面には滑り防止マットが一体に設けられていることを特徴とする請求項１から３の何れかに記載の収納装置。
【請求項５】
請求項１から３の何れかに記載の収納装置を、
平面視略三角形状の台本体のコーナー部にそれぞれ配置してなることを特徴とする収納台。
【考案の詳細な説明】
【技術分野】
【０００１】
本考案は、液晶モニター等のパネル型の表示装置を用いてＴＶ会議を行う場合等に適用され、キーボード及びマウスを出し入れ可能な収納装置及び収納台に関する。
【背景技術】
【０００２】
近年、ネットワークを利用した各種のＴＶ会議システムが提供されており、隔地者間で液晶モニター等のパネル型の表示装置を用いて多人数対多人数のＴＶ会議を行う場合等に広く利用されている。
【０００３】
このようなＴＶ会議システムにおいては、例えば、円陣を組むように参加者を配置し、参加者の各々に正対するように液晶ディスプレイ等の表示装置を配置し、参加者が個別のキーボード、マウス等を操作することでＴＶ会議に参加している。
【０００４】
この場合、特許文献１に開示されているような表示装置用スタンドを利用し、表示装置用スタンドに表示装置を取り付けることで、表示装置用スタンドと一体に表示装置を床面上を移動させて、参加者の各々に正対する位置に容易に配置することができる。
【０００５】
また、参加者の各々に個別の机等を配置し、机等の内部にパーソナルコンピュータ本体を収納し、机等の上部にキーボード及びマウスを配置し、各参加者がそれぞれキーボード及びマウスを操作することで、ＴＶ会議を円滑に進めている。
【０００６】
ところで、上記のように、参加者の各々に個別の机等を配置し、各机等の上部にキーボード及びマウスを配置した場合には、ＴＶ会議を進行させながら机等の上部で他の作業を行う場合に、キーボード及びマウスが邪魔になることがあり、ＴＶ会議の円滑な進行の妨げとなる。
【０００７】
一方、上記のような問題に対処するために、特許文献２に開示されているような収納スタンドを用い、この収納スタンドを机等の上部に配置しておくことで、不使用時にこの収納スタンドにキーボード及びマウスを収納し、必要に応じてキーボード及びマウスを取り出して使用することにより、机等の上部を他の作業のスペースとして利用することができる。
【特許文献１】特開２００６−３０９１３号公報
【特許文献２】特開平８−６９３４２号公報
【考案の開示】
【考案が解決しようとする課題】
【０００８】
しかし、上記のような収納スタンドにあっては、キーボードを手前側から挿し込むことでキーボードを収納しているため、キーボードの出し入れに非常に手間がかかる。また、座りが悪いために単独で机等の上部に配置することができず、重量のあるもので支える必要がある。
【０００９】
本考案は、上記のような従来の問題に鑑みされたものであって、ＴＶ会議を円滑に進めることができるとともに、座りが良く単独で机等の上部に配置することができ、キーボード及びマウスの出し入れを安定して行うことが可能な収納装置及び収納台を提供することを目的とする。
【課題を解決するための手段】
【００１０】
上記のような課題を解決するために、本考案は、以下のような手段を採用している。
すなわち、請求項１に係る考案は、キーボードを縦置きに収納するキーボード収納部と、該キーボード収納部と一体に設けられたマウスを載置可能なマウス収納部とを備えていることを特徴とする。
【００１１】
本考案による収納装置によれば、キーボード収納部にキーボードを縦置きに収納できるとともに、マウス収納部にマウスを載置することができる。
この場合、キーボード収納部とマウス収納部とは一体に設けられているので、キーボード及びマウスを出し入れしても倒れるようなことはなく、キーボード及びマウスの出し入れを安定して行うことができる。また、必要に応じてキーボード及びマウスを取り出して使用することができるので、机等の上部に配置した場合には、不使用時にキーボード及びマウスを各収納部に収納しておくことができ、机等の上部を他の作業に使用することができる。
【００１２】
請求項２に係る考案は、請求項１に記載の収納装置であって、前記マウス収納部は、前記キーボード収納部の両側にマウスを載置可能であることを特徴とする。
本考案による収納装置によれば、キーボード収納部の両側にマウスを載置することができ、必要に応じて、キーボード収納部の両側からマウスを取り出して使用することができる。
【００１３】
請求項３に係る考案は、請求項１又は２に記載の収納装置であって、前記キーボード収納部は、間隔をおいて互いに平行に立設される一対の支持枠からなり、前記マウス収納部は、前記支持枠の下端が連結される平板からなることを特徴とする。
【００１４】
本考案による収納装置によれば、マウス収納部を構成する平板にキーボード収納部を構成する一対の支持枠が立設されているので、マウス収納部とキーボード収納部とを一体化することができ、机等の上部に安定した状態で配置でき、キーボード及びマウスの出し入れを安定して行うことができる。
【００１５】
請求項４に係る考案は、請求項１から３の何れかに記載の収納装置であって、前記マウス収納部の上面には滑り防止マットが一体に設けられていることを特徴とする。
【００１６】
本考案による収納装置によれば、滑り防止マットによりマウス収納部からマウスが脱落するのを防止できることになる。
【００１７】
請求項５に係る考案は、請求項１から３の何れかに記載の収納装置を、平面視略三角形状の台本体のコーナー部にそれぞれ配置してなることを特徴とする。
【００１８】
本考案による収納台によれば、平面視略三角形状の台本体のコーナー部にそれぞれキーボード及びマウスを収納することができ、必要に応じて取り出して使用することができる。
【考案の効果】
【００１９】
以上、説明したように、本考案による収納装置によれば、キーボード収納部にキーボードを縦置きに収納し、マウス収納部にマウスを載置することができるので、不使用時にキーボードをキーボード収納部に収納し、マウスをマウス収納部に載置しておき、必要に応じてキーボード及びマウスを取り出して使用することにより、不使用時に机等の上部を他の作業に使用することができる。
また、キーボード収納部とマウス収納部とは一体に設けられているので、机等の上部に単独で載置しても倒れる虞はなく、キーボード及びマウスの出し入れを安定して行うことができる。
さらに、マウス収納部の上部には滑り防止マットが一体に設けられているので、収納時にマウス収納部からマウスが脱落するのを防止できる。
さらに、平面視三角形状の台本体のコーナー部に設けることにより、各コーナー部にキーボード及びマウスを収納し、必要に応じて取り出して使用することが可能となる。
【考案を実施するための最良の形態】
【００２０】
以下、図面を参照しながら本考案の実施の形態について説明する。
図１〜図８には、本考案による収納装置及び収納台の一実施の形態が示されていて、図１は収納装置の平面図、図２は図１の正面図、図３は図１の右側面図、図４は収納台の正面図、図５は図４の平面図、図６は図４のＡ−Ａ矢視図であって、収納装置を取り付けた状態を示す説明図、図７は本考案による収納装置を用いてＴＶ会議を行う際の収納装置と表示装置との位置関係を示す平面図、図８は図７の部分正面図である。
【００２１】
すなわち、本実施の形態に示す収納装置１０及び収納台１は、例えば、ネットワークを利用した各種のＴＶ会議システムに適用され、隔地者間で液晶モニター等のパネル型の表示装置を用いて多人数対多人数でＴＶ会議を行う場合等に、例えば、パーソナルコンピュータ本体２２等を収納する収納台１に取り付けられて使用される。
【００２２】
収納台１は、図４及び図５に示すように、平面視略三角形状の台本体２を備えている。台本体２は、上下方向に間隔をおいて互いに平行に配置される同一大きさの平面視三角形板状の複数枚（本実施の形態では４枚）の棚板３と、４枚の棚板３の互いに対応する各コーナー部に沿ってそれぞれ垂直に設けられる３本の支柱５とから構成され、図８に示すように、この収納台１の下から３段目の棚板３の各コーナー部にそれぞれ本考案による収納装置１０が設けられる。
【００２３】
台本体２は、各棚板３の各コーナー部にそれぞれ切込み４を設け、各棚板３の各切込み４内に支柱５の一部を嵌合させた状態で、各棚板３の切込み４と各支柱５との間を溶接等により一体に連結することで、平面視略三角形状に形成している。
【００２４】
なお、棚板３は、４枚に限らず、２枚、３枚、又は５枚以上としてもよい。また、棚板３と支柱５とをねじにより連結することで、棚板３の支柱５に対する取付け位置を調整可能に構成してもよい。
【００２５】
台本体２の各支柱５の下端にはキャスター６が取り付けられ、これらのキャスター６によって台本体２が床面上を前後左右方向に移動可能、かつ旋回可能に支持される。従って、台本体２にパーソナルコンピュータ本体２２、キーボード２０、マウス２１等を収納した状態で台本体２を所望の位置に移動させることができる。
【００２６】
キャスター６は、市販のキャスターであって、例えば、各支柱５の下端にねじ（図示せず）により固定される基部７と、基部７の下部に旋回自在に設けられる支持部８と、支持部８に中央が支持される車軸（図示せず）と、車軸に軸受（図示せず）を介して回転自在に支持される車輪９とを備えている。キャスターの車輪９が車軸回りに回転するとともに、車輪９が支持部８の旋回に追従して旋回することで、台本体２が床面上を前後左右方向に移動し、または床面上を旋回することになる。
なお、キャスター６は、上記の構成のものに限らず、市販の各種のタイプのものを使用することができる。また、台本体２を移動させる必要がない場合には、キャスター６を設ける必要はないものである。
【００２７】
本考案による収納装置１０は、図１〜図３に示すように、キーボード２０を収納するキーボード収納部１１と、マウス２１を収納するマウス収納部１８とを備え、図６〜図８に示すように、収納台１の台本体２の所望の棚板３（本実施の形態においては下から３段目の棚板３）の各コーナー部にその棚板３の中心を中心として放射状をなすようにそれぞれ一体に設けられている。
【００２８】
キーボード収納部１１は、丸パイプ又は丸棒の両端部を屈曲させて略Ｕ形状に形成した一対の支持枠１２、１２を、互いに平行をなすように所定の間隔（キーボード２０の厚さよりも広い間隔）をおいて逆Ｕ字状に配置し、この一対の支持枠１２、１２の両端を後述する平板１４の上部に溶接等により一体に連結することで、平板１４の上部に垂直に立設したものであって、この一対の一対の支持枠１２、１２間の隙間１３内にキーボード２０が縦置きに収納される。
【００２９】
平板１４は、矩形板状の取付け部１５と、取付け部１５よりも大きい矩形板状の載置部１６と、取付け部１５と載置部１６とを一体に連結する帯板状の連結部１７とからなる平面視略Ｔ形状をなすものであって、この平板１４の上部中央部にキーボード収納部１１の一対の支持枠１２、１２が垂直に立設されている。
【００３０】
一対の支持枠１２、１２は、一端が取付け部１５の上部中央部に溶接等によって一体に連結され、他端が載置部１６の上部中央部に溶接等によって一体に連結され、この一対の支持枠１２、１２の両側の載置部１６の上部にそれぞれマウス収納部１８が設けられ、各マウス収納部１８にそれぞれマウス２１が載置可能に構成されている。
【００３１】
マウス収納部１８は、取付け部１５を棚板３に固定したときに、各支柱５の外面側（棚板３と反対側の面側）に水平に配置される。これにより、マウス収納部１８の上部にマウス２１を安定した状態で載置することができる。
【００３２】
マウス収納部１８の上面には、合成ゴム等からなるシート状の滑り防止マット１９が接着剤等によって一体に設けられ、この滑り防止マット１９によりマウス２１がマウス収納部１８から脱落するのを防止している。この場合、滑り防止マット１９と併用して、マウス収納部１８の周縁部にマウス２１の落下防止用の囲い（図示せず）を設けてもよい。
【００３３】
収納装置１０は、取付け部１５を収納台１の各コーナー部の棚板３の上部にねじ等により固定することで、収納台１の各コーナー部に取り付けられる。この場合、収納装置１０は、キーボード収納部１１の一対の支持枠１２、１２の全長の略半分が棚板３の上部に配置され、残りの略半分が棚板３の外側に配置されるように、取付け部１５の棚板３への取付け位置が調整されている。このような位置に一対の支持枠１２、１２を配置することで、一対の支持枠１２、１２間の隙間１３に収納したキーボード２０は、略半分が棚板３の上部に位置し、残りの略半分が棚板３の外部に位置することになり、収納台１の外側からキーボード収納部１１にキーボード２０を容易に出し入れすることが可能となる。
【００３４】
そして、上記のように構成した本実施の形態による収納装置１を用いて隔地者間でＴＶ会議を行うには、例えば、図７及び図８に示すように、収納台１の各辺部に対応する位置にそれぞれ表示装置２３を配置し、隣接する表示装置２３間にそれぞれ２名以上（本実施の形態では２名）の参加者３０を配置する。
【００３５】
この場合、各表示装置２３は、予め表示装置用スタンド２５の頂部に取り付けておき、上下方向の位置の調整、及び表示画面の角度を調整可能に構成しておく。表示装置用スタンド２５としては、例えば、床面上を前後左右方向に移動可能かつ旋回可能な基台２６と、基台２６の上部に垂直に立設される上下方向に伸縮可能な支柱２７と、支柱２７の頂部に設けられる角度調整可能な支持手段２８とを備えたものを使用することができる。そして、このような構成の表示装置用スタンド２５の支持手段２８に表示装置２３を取り付けることで、表示装置２３の上下方向の位置の調整、及び表示画面の角度調整をすることが可能となる。
なお、表示装置用スタンド２５は、上記の構成のものに限らず、周知の各種の表示装置用スタンドを使用することができる。
【００３６】
そして、上記のように隣接する表示装置２３間にそれぞれ２名以上の参加者３０を配置することで、参加者３０は右隣又は左隣の表示装置２０の表示画面を目視しながらＴＶ会議に参加することができ、この際に、必要に応じて、表示装置２３間の収納装置１０のキーボード収納部１１に収納されているキーボード２０又はマウス収納部１８に収納されているマウス２１を取り出して操作することで、表示画面に表示されている表示内容を操作することができ、ＴＶ会議を円滑に進行させることができる。
【００３７】
上記のように構成した本実施の形態による収納装置１０及び収納台１にあっては、キーボード収納部１１にキーボード２０を縦置きに収納し、マウス収納部１８にマウス２１を載置状態で収納するように構成したので、不使用時にキーボード２０及びマウス２１を各収納部１１、１８に収納することにより、机等の上部に他の作業のスペースを作ることができ、ＴＶ会議を円滑に進行させることができる。
【００３８】
また、キーボード収納部１１の両側にマウス収納部１８を設けているので、円陣を組んでＴＶ会議を行う場合に、参加者が両側からマウス２１をマウス収納部１８から出し入れすることができ、ＴＶ会議の活性化を図ることができる。
【００３９】
なお、前記の説明においては、本実施の形態における収納装置１０を収納台１のコーナー部に取り付けた例について説明したが、机等の上部に配置してもよいものであり、その場合にも同様の作用効果を奏する。また、机等の上部に配置する場合には、キーボード収納部１１とマウス収納部１８とを一体に形成しているので、机等の上部に単独で配置してもキーボード２０及びマウス２１の出し入れを安定して行うことが可能となる。
【図面の簡単な説明】
【００４０】
【図１】本考案による収納装置の一実施の形態を示した平面図である。
【図２】図１の正面図である。
【図３】図１の右側面図である。
【図４】収納台の正面図である。
【図５】図４の平面図である。
【図６】図４のＡ−Ａ矢視図であって、収納装置を取り付けた状態を示した説明図である。
【図７】本考案による収納装置を用いてＴＶ会議を行う際の収納装置と表示装置との位置関係を示した平面図である。
【図８】図７の部分正面図である。
【符号の説明】
【００４１】
１  収納台
２  台本体
３  棚板
４  切込み
５  支柱
６  キャスター
７  基部
８  支持部
９  車輪
１０  収納装置
１１  キーボード収納部
１２  支持枠
１３  隙間
１４  平板
１５  取付け部
１６  載置部
１７  連結部
１８  マウス収納部
１９  滑り防止マット  
２０  キーボード
２１  マウス
２２  パーソナルコンピュータ本体
２３  表示装置
２５  表示装置用スタンド
２６  基台
２７  支柱
２８  支持手段
３０  参加者
【図１】
0003132406.tif 000003
【図２】
0003132406.tif 000004
【図３】
0003132406.tif 000005
【図４】
0003132406.tif 000006
【図５】
0003132406.tif 000007
【図６】
0003132406.tif 000008
【図７】
0003132406.tif 000009
【図８】
0003132406.tif 000010